(57)【要約】【課題】堅牢な天井構造を実現するハンガー、天井構造、及び天井構造の組立方法を提供する。【解決手段】断面が略Ｈ字形状を呈するバー４を、断面が略Ｃ字形状を呈する母屋２に対して仮固定するためのハンガー３は、ハンガー底板３１と、ハンガー底板３１の一端から所定方向に延出するハンガー背面板３２と、ハンガー底板３１の他端から所定方向に延出し、所定間隔を空けてハンガー背面板３２と対向するハンガー正面板３３と、母屋２の下リップ部２３に係止するための係止部である係止板３４と、バー４のフランジ４１を支持するための支持部３ｂと、を有している。ハンガー底板３１に開口が形成されている。【選択図】図３
2020197064.tif 000002
【特許請求の範囲】
【請求項１】
断面が略Ｈ字形状を呈するバーを、断面が略Ｃ字形状を呈する母屋に対して仮固定するためのハンガーであって、
ハンガー底板と、
前記ハンガー底板の一端から所定方向に延出するハンガー背面板と、
前記ハンガー底板の他端から前記所定方向に延出し、所定間隔を空けて前記ハンガー背面板と対向するハンガー正面板と、
前記母屋のリップ部に係止するための係止部と、
前記バーのフランジを支持するための支持部と、を有し、
前記ハンガー底板に開口が形成されていることを特徴とする、ハンガー。
【請求項２】
前記係止部は、前記ハンガー正面板の前記所定方向側の端部から前記ハンガー背面板側に傾斜して延出する係止板を有し、
前記ハンガー正面板と前記係止板との間に形成される空間は、両端部が開放されている、請求項１に記載のハンガー。
【請求項３】
前記支持部は、前記ハンガー底板よりも前記所定方向と反対の方向に配置された支持板を有し、
前記支持板は、前記ハンガー底板との間にスロットを形成している、請求項２に記載のハンガー。
【請求項４】
前記支持板は、前記所定方向に貫通する貫通穴が形成され、前記開口の一部を覆うように配置されている、請求項３に記載のハンガー。
【請求項５】
前記所定間隔は、５０ｍｍから５４ｍｍであり、
前記ハンガー背面板の延出量は、３４ｍｍから３６ｍｍであり、
前記ハンガー正面板の延出量は、２０ｍｍから２４ｍｍである、請求項１から４のいずれか一項に記載のハンガー。
【請求項６】
天井構造であって、
断面が略Ｃ字形状を呈する母屋と、
断面が略Ｈ字形状を呈し化粧パネルを保持するバーと、
前記バーを前記母屋に仮固定するためのハンガーと、
前記バーを前記母屋に固定する固定部材と、を備え、
前記ハンガーは、
ハンガー底板と、
前記ハンガー底板の一端から所定方向に延出するハンガー背面板と、
前記ハンガー底板の他端から前記所定方向に延出し、所定間隔を空けて前記ハンガー背面板と対向するハンガー正面板と、
前記母屋のリップ部に係止するための係止部と、
前記バーのフランジを支持するための支持部と、を有し、
前記ハンガー底板に開口が形成されており、
前記固定部材は、前記開口を挿通して前記バーを前記母屋に固定していることを特徴とする、天井構造。
【請求項７】
前記係止部は、前記ハンガー正面板の前記所定方向側の端部から前記ハンガー背面板側に傾斜して延出する係止板を有し、
前記ハンガー正面板と前記係止板との間に形成される空間は、両端部が開放されている、請求項６に記載の天井構造。
【請求項８】
前記支持部は、前記ハンガー底板よりも前記所定方向と反対の方向に配置された支持板を有し、
前記支持板は、前記ハンガー底板との間にスロットを形成しており、
前記バーのフランジは、前記スロット内に配置され、前記支持板により下方から支持されている、請求項７に記載の天井構造。
【請求項９】
前記支持板は、前記所定方向に貫通する貫通穴が形成され、前記開口の一部を覆うように配置されており、
前記固定部材は、前記開口及び前記貫通穴を挿通して前記バーを前記母屋に固定している、請求項８に記載の天井構造。
【請求項１０】
前記母屋は、梁成が略１００ｍｍであり、梁幅が略５０ｍｍであり、リップ高さが略２０ｍｍであり、
前記所定間隔は、５０ｍｍから５４ｍｍであり、
前記ハンガー背面板の延出量は、３４ｍｍから３６ｍｍであり、
前記ハンガー正面板の延出量は、２０ｍｍから２４ｍｍである、請求項６から９のいずれか一項に記載の天井構造。
【請求項１１】
天井構造の組立方法であって、
ハンガー底板と、
前記ハンガー底板の一端から所定方向に延出するハンガー背面板と、
前記ハンガー底板の他端から前記所定方向に延出し、所定間隔を空けて前記ハンガー背面板と対向するハンガー正面板と、
係止部と、
支持部と、を有するハンガーの前記係止部を、断面が略Ｃ字形状を呈する母屋のリップ部に係止させる係止工程と、
断面が略Ｈ字形状を呈するバーのフランジを、前記ハンガーの支持部に支持させるバー支持工程と、
前記バーを前記母屋に固定する固定工程と、
前記バーに化粧パネルを保持させるパネル保持工程と、を有し、
前記ハンガー底板に開口が形成されており、
前記固定工程において、前記開口に固定部材を挿通させ、該固定部材により前記バーを前記母屋に固定することを特徴とする、天井構造の組立方法。
【請求項１２】
前記係止部は、前記ハンガー正面板の前記所定方向側の端部から前記ハンガー背面板側に傾斜して延出する係止板を有し、
前記ハンガー正面板と前記係止板との間に形成される空間は、両端部が開放されており、
前記固定工程に先駆けて、前記バーを支持している前記ハンガーを前記母屋の長手方向に沿ってスライド移動させることにより、前記バーの位置を調整する調整工程を有している、請求項１１に記載の天井構造の組立方法。
【請求項１３】
前記支持部は、前記ハンガー底板よりも前記所定方向と反対の方向に配置された支持板を有し、
前記支持板は、前記ハンガー底板との間にスロットを形成しており、
前記バー支持工程において、前記バーの前記フランジを前記スロット内に挿入配置し、該フランジを前記支持板に下方から支持させる、請求項１２に記載の天井構造の組立方法。
【請求項１４】
前記支持板は、前記所定方向に貫通する貫通穴が形成され、前記開口の一部を覆うように配置されており、
前記固定工程において、前記開口及び前記貫通穴に前記固定部材を挿通させ、該固定部材により前記バーを前記母屋に固定する、請求項１３に記載の天井構造の組立方法。
【請求項１５】
前記母屋は、梁成が略１００ｍｍであり、梁幅が略５０ｍｍであり、リップ高さが略２０ｍｍであり、
前記所定間隔は、５０ｍｍから５４ｍｍであり、
前記ハンガー背面板の延出量は、３４ｍｍから３６ｍｍであり、
前記ハンガー正面板の延出量は、２０ｍｍから２４ｍｍである、請求項１１から１４のいずれか一項に記載の天井構造の組立方法。
【発明の詳細な説明】
【技術分野】
【０００１】
本発明は、ハンガー、天井構造、及び天井構造の組立方法に関する。
【背景技術】
【０００２】
建築躯体の構造材である母屋に対し、中間部材を介して化粧パネルを固定した天井構造が広く普及している。例えば特許文献１には、躯体側部材（母屋）に対して支持部材が係合し、支持部材に対して固定部材が固定され、この固定部材に野縁が固定された天井構造が開示されている。ロックウール吸音板やグラスウールボード等である天井材（化粧パネル）は、ビス等により野縁に取り付けられる。
【先行技術文献】
【特許文献】
【０００３】
【特許文献１】特開２０１７−２２６９８９号公報
【発明の概要】
【発明が解決しようとする課題】
【０００４】
上述したように、特許文献１記載の天井構造では、化粧パネルが取り付けられる野縁が、支持部材や固定部材を介して母屋に固定されている。このように野縁が直接的に母屋に固定されておらず、野縁と母屋との間の固定部分に他部材が介在している天井構造は、地震等により母屋が揺動した場合に、野縁や化粧パネルの振幅が大きくなり、損傷に至り、化粧パネルや部材が落下する等のおそれがあった。
【０００５】
本発明はこのような課題に鑑みてなされたものであり、堅牢な天井構造を実現するハンガー、天井構造、及び天井構造の組立方法を提供することを目的とする。
【課題を解決するための手段】
【０００６】
上述した目的を達成するために、本発明は、断面が略Ｈ字形状を呈するバーを、断面が略Ｃ字形状を呈する母屋に対して仮固定するためのハンガーであって、ハンガー底板と、ハンガー底板の一端から所定方向に延出するハンガー背面板と、ハンガー底板の他端から所定方向に延出し、所定間隔を空けてハンガー背面板と対向するハンガー正面板と、母屋のリップ部に係止するための係止部と、バーのフランジを支持するための支持部と、を有し、ハンガー底板に開口が形成されていることを特徴とする。
【０００７】
この構成によれば、ハンガーがバーを母屋に対して仮固定している状態で、母屋の一部を、ハンガー底板に形成された開口を介して露出させることができる。これにより、当該開口を挿通する固定部材により、母屋とバーとの間の固定部分に他部材を介在させることなく、母屋とバーとを固定することが可能になる。すなわち、バーを直接的に母屋に固定することが可能になる。この結果、地震等により母屋が揺動した場合でも、バーの振幅の増大を抑制し、天井構造の損傷を抑制することが可能になる。
【０００８】
本発明において、好ましくは、係止部は、ハンガー正面板の所定方向側の端部からハンガー背面板側に傾斜して延出する係止板を有し、ハンガー正面板と係止板との間に形成される空間は、両端部が開放されている。
【０００９】
この構成によれば、母屋のリップ部が、ハンガー正面板と係止板との間に形成される空間に進入するようにハンガーを配置することにより、ハンガーを容易に母屋に係止させることができる。また、当該空間は、両端部が開放されているため、母屋のリップ部に対してハンガーをスライド移動させることができる。これにより、バーを仮固定しているハンガーをスライド移動させ、母屋に対するバーの位置を調整することが可能になる。
【００１０】
本発明において、好ましくは、支持部は、ハンガー底板よりも所定方向と反対の方向に配置された支持板を有し、支持板は、ハンガー底板との間にスロットを形成している。
【００１１】
この構成によれば、スロット内に、断面が略Ｈ字形状を呈するバーのフランジを挿入配置することにより、支持板によりフランジを下方から支持するとともに、開口を介して母屋とフランジとを対向させることができる。これにより、当該開口を挿通する固定部材により、母屋とバーとの間の固定部分に他部材を介在させることなく、母屋とバーとを固定することが可能になる。
【００１２】
本発明において、好ましくは、支持板は、所定方向（つまり、ハンガー背面板及びハンガー正面板が延出する方向）に貫通する貫通穴が形成され、開口の一部を覆うように配置されている。
【００１３】
この構成によれば、開口を覆うように配置された支持板により、バーのフランジが開口を介して母屋と適切に対向するように当該フランジを支持しつつ、貫通穴及び開口を挿通する固定部材により、母屋と当該フランジとを固定することが可能になる。
【００１４】
本発明において、好ましくは、所定間隔（つまり、ハンガー背面板とハンガー正面板との間隔）は、５０ｍｍから５４ｍｍであり、ハンガー背面板の延出量は、３４ｍｍから３６ｍｍであり、ハンガー正面板の延出量は、２０ｍｍから２４ｍｍである。
【００１５】
一般に、母屋として、ＪＩＳ Ｇ ３３５０に準拠したリップ溝形鋼（Ｃ形鋼）が用いられることが多い。特に、梁成が略１００ｍｍ、梁幅が略５０ｍｍ、リップ高さが略２０ｍｍのリップ溝形鋼は、母屋として広く用いられている。ＪＩＳ Ｇ ３３５０では、梁幅５０ｍｍに対して±１．５ｍｍの寸法許容値が定められ、リップ高さ２０ｍｍに対して２．０ｍｍの寸法許容値が定められている。
上記構成によれば、ハンガー背面板とハンガー正面板との間隔は５０ｍｍから５４ｍｍとされ、ハンガー背面板の延出量は３４ｍｍから３６ｍｍとされ、ハンガー正面板の延出量は２０ｍｍから２４ｍｍとされている。特に、ハンガー背面板とハンガー正面板との間隔、ハンガー正面板の延出量は、それぞれ、上述した寸法許容値を考慮した母屋の梁幅、リップ高さに対応するものであり、母屋と、当該母屋に係止したハンガーとの間に適度なクリアランスが形成されるように設定されている。本発明者らの検討によれば、このようなサイズを有するハンガーの係止部を、上述した梁成、梁幅、及びリップ高さを有する母屋のリップ部に係止させた後、ハンガー底板を軽く持ち上げるだけで、ハンガー背面板とハンガー正面板との間に母屋を嵌入させ、そのハンガーの姿勢を維持できることが判った。つまり、母屋に係止させているハンガーの姿勢を、固定部材等を用いることなく、バーを母屋に固定し終えた際のハンガーの姿勢に近いものにすることが可能になる。この結果、母屋にハンガーを係止させた後、バーをハンガーに支持させる作業や、固定部材により母屋とバーとを固定する作業を、容易に行うことが可能になる。
【００１６】
上述した目的を達成するために、本発明の他の態様は、天井構造であって、断面が略Ｃ字形状を呈する母屋と、断面が略Ｈ字形状を呈し化粧パネルを保持するバーと、バーを母屋に仮固定するためのハンガーと、バーを母屋に固定する固定部材と、を備え、ハンガーは、ハンガー底板と、ハンガー底板の一端から所定方向に延出するハンガー背面板と、ハンガー底板の他端から所定方向に延出し、所定間隔を空けてハンガー背面板と対向するハンガー正面板と、母屋のリップ部に係止するための係止部と、バーのフランジを支持するための支持部と、を有し、ハンガー底板に開口が形成されており、固定部材は、開口を挿通してバーを母屋に固定していることを特徴とする。
【００１７】
この構成によれば、ハンガー底板に形成された開口を挿通する固定部材により、母屋とバーとの間の固定部分に他部材を介在させることなく、母屋とバーとが固定されている。すなわち、バーは直接的に母屋に固定されている。この結果、地震等により母屋が揺動した場合でも、バーの振幅の増大を抑制し、天井構造の損傷を抑制することが可能になる。
【００１８】
上述した目的を達成するために、本発明の他の態様は、天井構造の組立方法であって、ハンガー底板と、ハンガー底板の一端から所定方向に延出するハンガー背面板と、ハンガー底板の他端から所定方向に延出し、所定間隔を空けてハンガー背面板と対向するハンガー正面板と、係止部と、支持部と、を有するハンガーの係止部を、断面が略Ｃ字形状を呈する母屋のリップ部に係止させる係止工程と、断面が略Ｈ字形状を呈するバーのフランジを、ハンガーの支持部に支持させるバー支持工程と、バーを母屋に固定する固定工程と、バーに化粧パネルを保持させるパネル保持工程と、を有し、ハンガー底板に開口が形成されており、固定工程において、開口に固定部材を挿通させ、固定部材によりバーを母屋に固定することを特徴とする。
【００１９】
この構成によれば、固定工程において、ハンガー底板に形成された開口を挿通する固定部材により、母屋とバーとの間の固定部分に他部材を介在させることなく、母屋とバーとを固定することが可能になる。すなわち、バーを直接的に母屋に固定することが可能になる。この結果、地震等により母屋が揺動した場合でも、バーの振幅の増大を抑制し、天井構造の損傷を抑制することが可能になる。
【００２０】
また、パネル保持工程において、バーのフランジ間に化粧パネルを挿入するという簡単な作業により、バーに化粧パネルを保持させることができる。つまり、本発明に係るバーは、従来の天井構造における野縁、及び、野縁に対して化粧パネルを固定するための固定部材、の双方の機能を有している。これにより、天井構造の組み立てに要する工程の簡略化や省力化を図ることが可能になる。
【発明の効果】
【００２１】
本発明によれば、堅牢な天井構造を実現するハンガー、天井構造、及び天井構造の組立方法を提供することができる。
【図面の簡単な説明】
【００２２】
【図１】実施形態に係る天井構造を示す斜視図である。
【図２】図１のＩＩ部を示す断面図である。
【図３】母屋周辺の構成を示す分解斜視図である。
【図４】ハンガーを示す斜視図、側面図、及び断面図である。
【図５】母屋に対するハンガーの係止を示す説明図である。
【図６】互いに固定された母屋及びバーを示す断面図である。
【発明を実施するための形態】
【００２３】
以下、添付図面を参照しながら実施形態について説明する。説明の理解を容易にするため、各図面において同一の構成要素に対しては可能な限り同一の符号を付して、重複する説明は省略する。
【００２４】
まず、図１から図４を参照しながら、実施形態に係る天井構造１の概略と、天井構造１を構成する各部材の構成について説明する。図１は、天井構造１を示す斜視図であり、図２は、図１のＩＩ部を示す断面図である。図３は、母屋２周辺の構成を示す分解斜視図である。図４（Ａ）、図４（Ｂ）は、それぞれハンガー３を示す斜視図、側面図である。図４（Ｃ）は、図４（Ａ）のＣ−Ｃ断面を示す断面図である。
【００２５】
天井構造１は、不図示の建築躯体の天井部分を構成している。図１は、天井構造１を上方から示している。天井構造１は、それぞれ複数の母屋２、ハンガー３、バー４、及び化粧パネル５、を備えている。
【００２６】
母屋２は、建築躯体の構造材である。ＪＩＳ Ｇ ３３５０に準拠したリップ溝形鋼が母屋２として用いられており、図３に示されるように、梁成Ｈ２、梁幅Ｗ２、及びリップ高さＬ２を有している。梁成Ｈ２は略１００ｍｍであり、梁幅Ｗ２は略５０ｍｍであり、リップ高さＬ２は略２０ｍｍである。
【００２７】
母屋２は鋼板を曲げ加工することにより形成されており、母屋底板２１と、母屋背面板２２と、下リップ部２３と、上面板２４と、上リップ部２５と、を有している。下リップ部２３は、本発明に係るリップ部の一例である。母屋背面板２２と下リップ部２３は、それぞれ母屋底板２１の一端と他端から母屋底板２１と略垂直な方向に延出し、互いに対向している。母屋底板２１と母屋背面板２２は屈曲部２ａにおいて互いに連結しており、母屋底板２１と下リップ部２３は屈曲部２ｂにおいて互いに連結している。上面板２４は、母屋底板２１と略平行に配置され、上リップ部２５は、母屋背面板２２と略平行に配置されている。下リップ部２３と上リップ部２５との間には隙間が形成されている。このような構成を有する母屋２の断面は、略Ｃ字形状を呈している。
【００２８】
ハンガー３は、後述するように、バー４を母屋２に対して仮固定するための部材である。ハンガー３は、ＪＩＳ Ｇ ３３０２に準拠した厚さ略０．８ｍｍの溶融亜鉛めっき鋼板を曲げ加工することにより形成されている。図４に示されるように、ハンガー３は、ハンガー底板３１と、ハンガー背面板３２と、ハンガー正面板３３と、係止板３４と、支持板３５，３５と、を有している。
【００２９】
ハンガー底板３１は、平面視で略矩形を呈している。図４（Ａ）及び図４（Ｃ）に示されるように、ハンガー底板３１の中央部に開口３１ａが形成されている。開口３１ａは、ハンガー底板３１を厚さ方向に貫通している。
【００３０】
ハンガー背面板３２とハンガー正面板３３は、それぞれハンガー底板３１の一端と他端からハンガー底板３１と略垂直な方向に延出し、互いに対向している。すなわち、ハンガー背面板３２及びハンガー正面板３３は、互いに略平行に配置されている。図４（Ｂ）に示されるハンガー背面板３２の延出量Ｈ３は、３４ｍｍから３６ｍｍであり、ハンガー正面板３３の延出量Ｌ３は、２０ｍｍから２４ｍｍである。また、ハンガー背面板３２とハンガー正面板３３との間隔Ｗ３は、５０ｍｍから５４ｍｍである。すなわち、間隔Ｗ３は、上述した母屋２の梁幅Ｗ２（略５０ｍｍ）と同程度か、若干大きい値に設定されている。図４（Ａ）及び図４（Ｂ）に示されるように、ハンガー背面板３２の端部近傍には、貫通穴３２ａが形成されている。
【００３１】
係止板３４は、ハンガー正面板３３の端部から、ハンガー背面板３２側に傾斜して延出している。図４（Ｂ）に示される係止板３４とハンガー正面板３３とがなす角度θは、略３０度である。係止板３４は、ハンガー正面板３３との間に空間３４ａを形成している。空間３４ａのハンガー底板３１側の端部は開放されており、これにより、ハンガー底板３１側から空間３４ａに進入可能に構成されている。また、図４（Ｂ）の紙面奥行方向における空間３４ａの両端部も開放されている。
【００３２】
支持板３５，３５は、ハンガー底板３１よりも、ハンガー背面板３２及びハンガー正面板３３が延出している方向と反対の方向に配置されている。図４（Ｃ）に示されるように、支持板３５，３５は、ハンガー底板３１の開口３１ａの端部から中央部に向かって延出し、平面視で開口３１ａの一部を覆うように配置されている。支持板３５，３５の上面は、後述するようにバー４のフランジ４１を支持するための支持部３ｂとして機能する。ハンガー３の支持部３ｂとして機能する。また、支持板３５，３５は、ハンガー底板３１と略平行に配置され、ハンガー底板３１との間にフランジ用スロット７１を形成している。さらに、支持板３５，３５の端部３５ａ，３５ａ間には、ウェブ用スロット７２が形成されている。
【００３３】
バー４は、化粧パネル５を保持するための部材である。図２及び図３に示されるように、バー４は、フランジ４１，４３と、ウェブ４５と、を有している。フランジ４１，４３は間隔を空けて配置され、ウェブ４５は、その両者を連結している。これにより、バー４の断面は略Ｈ字形状を呈している。
【００３４】
化粧パネル５は、居室の天井面を構成する部材である。化粧パネル５はグラスウールを基材としており、その表面は意匠性を高めるために化粧処理が施されている。
【００３５】
次に、図１から図６を参照しながら、天井構造１の組立方法について説明する。図５は、母屋２に対するハンガー３の係止を示す説明図である。図６は、互いに固定された母屋２及びバー４を示す断面図であり、図４のＣ−Ｃ断面に対応する断面を示している。
【００３６】
本実施形態に係る天井構造１の組立方法は、係止工程と、バー支持工程と、調整工程と、固定工程と、パネル保持工程と、を有している。
【００３７】
［係止工程］
まず、係止工程において、図３に矢印Ａ１で示されるように、ハンガー３を母屋２に係止させる。詳細には、図５（Ａ）に矢印Ａ５で示されるように、ハンガー３のハンガー正面板３３と係止板３４との間に形成された空間３４ａに、母屋２の下リップ部２３の上端２３ａを進入させるようにして、係止板３４を下リップ部２３に係止させる。
【００３８】
さらに、図５（Ｂ）に矢印Ａ６で示されるように、ハンガー底板３１を軽く持ち上げる。詳細には、下リップ部２３の上端２３ａに係止している係止板３４を中心として、ハンガー３を回転させるように持ち上げる。これにより、図５（Ｃ）に示されるように、ハンガー背面板３２とハンガー正面板３３との間に母屋２が嵌入する。この際、ハンガー底板３１やハンガー背面板３２が、母屋２の屈曲部２ａや屈曲部２ｂと干渉する場合があるが、上述したようにハンガー３は薄い鋼板により形成されているため、弾性変形して母屋２を嵌入させることができる。ハンガー３のハンガー底板３１、ハンガー背面板３２、ハンガー正面板３３は、それぞれ、母屋２の母屋底板２１、母屋背面板２２、下リップ部２３に沿うように配置される。また、ハンガー底板３１に形成された開口３１ａは、母屋底板２１の一部を露出させ、支持板３５，３５がその下方を覆う。
【００３９】
ところで、ハンガー３には、その自重により、下リップ部２３の上端２３ａを中心とする回転モーメントが作用する。この自重による回転モーメントは、ハンガー背面板３２とハンガー正面板３３との間から母屋２を離脱させる方向にハンガー３を回転させる方向に作用する。
【００４０】
しかしながら、上述したように、ハンガー背面板３２とハンガー正面板３３との間隔Ｗ３（５０ｍｍから５４ｍｍ）は、母屋２の梁幅Ｗ２（略５０ｍｍ）と同程度か、若干大きい値に設定されている。そのため、母屋２が嵌入しているハンガー３に対して上述した回転モーメントが作用した場合でも、ハンガー底板３１が屈曲部２ｂに引っ掛かったり、ハンガー背面板３２が屈曲部２ａに引っ掛かったりして、回転モーメントに抗する反力が発生する。これにより、図５（Ｃ）に示されるように、母屋２が嵌入している状態のハンガー３の姿勢が維持される。
【００４１】
［バー支持工程］
バー支持工程では、母屋２に係止しているハンガー３にバー４を支持させる。詳細には、図３に矢印Ａ２で示されるように、バー４のフランジ４１をハンガー３のフランジ用スロット７１（図４（Ｃ）参照）内に挿入配置するとともに、バー４のウェブ４５をハンガー３のウェブ用スロット７２（図４（Ｃ）参照）内に挿入配置する。
【００４２】
これにより、バー４のフランジ４１が、ハンガー３の支持板３５，３５の上面により下方から支持される。すなわち、ハンガー３は、バー４を母屋２に対して仮固定する。バー４のフランジ４１の一部は、ハンガー底板３１に形成された開口３１ａを介して、母屋底板２１と対向する。
【００４３】
［調整工程］
調整工程は、固定工程に先駆けて実施される。調整工程では、バー４が挿入配置されたハンガー３の位置を調整する。詳細には、図５（Ｃ）に矢印Ａ７で示されるように、ハンガー３を、母屋２の長手方向に沿ってスライド移動させることにより、母屋２に対するバー４の位置を調整する。
【００４４】
上述したように、ハンガー背面板３２とハンガー正面板３３との間隔Ｗ３（５０ｍｍから５４ｍｍ）は、母屋２の梁幅Ｗ２（略５０ｍｍ）と同程度か、若干大きい値に設定されている。そのため、母屋背面板２２とハンガー背面板３２との間、及び、下リップ部２３とハンガー正面板３３との間には、それぞれ微小な隙間が形成されている。これにより、過大な力を加えることなくハンガー３をスライド移動させ、バー４の位置を容易に調整することが可能になる。
【００４５】
［固定工程］
固定工程では、まず、図３に矢印Ａ４で示されるように、ねじ６２によりハンガー３を母屋２に固定する。ねじ６２は、ハンガー背面板３２に形成されている貫通穴３２ａを挿通し、母屋背面板２２に螺入している。これにより、ハンガー３が母屋背面板２２に固定される。
【００４６】
次に、図３に矢印Ａ３で示されるように、ねじ６１によりバー４を母屋２に固定する。ねじ６１は、本発明に係る固定部材の一例である。図６に示されるように、ねじ６１は、支持板３５に形成されている貫通穴３５ｂ、及び、ハンガー底板３１に形成されている開口３１ａを挿通し、フランジ４１と母屋底板２１に螺入している。これにより、母屋２とバー４との間の固定部分に他部材を介在させることなく、母屋２とバー４とが固定される。すなわち、バー４は直接的に母屋２に固定される。このねじ６１により、ハンガー３も母屋底板２１に固定される。
【００４７】
尚、図６は、ハンガー３の貫通穴３５ｂ，３５ｂの一方のみにねじ６１が挿通された形態を示しているが、本発明はこの形態に限定されるものではなく、貫通穴３５ｂ，３５ｂの双方にねじ６１を挿通させ、より強固にバー４を母屋２に固定してもよい。
【００４８】
［パネル保持工程］
パネル保持工程では、図１に示されるように、バー４に化粧パネル５を保持させる。詳細には、図２に示されるように、バー４のフランジ４１，４３及びウェブ４５により形成される凹部に化粧パネル５の端部５１を挿入することにより、化粧パネル５の四方を保持する。隣り合う複数の化粧パネル５により一連の天井面を構成することにより、天井構造１の組み立てが完了する。
【００４９】
次に、本実施形態に基づく作用効果について説明する。
【００５０】
この構成によれば、ハンガー３がバー４を母屋２に対して仮固定している状態で、母屋２の一部を、ハンガー底板３１に形成された開口３１ａを介して露出させることができる。これにより、開口３１ａを挿通するねじ６１により、母屋２とバー４との間の固定部分に他部材を介在させることなく、母屋２とバー４とを固定することが可能になる。すなわち、バー４を直接的に母屋２に固定することが可能になる。この結果、地震等により母屋２が揺動した場合でも、バー４の振幅の増大を抑制し、天井構造１の損傷を抑制することが可能になる。
【００５１】
また、ハンガー正面板３３と係止板３４との間に形成される空間３４ａは、両端部が開放されている。この構成によれば、母屋２の下リップ部２３が、ハンガー正面板３３と係止板３４との間に形成される空間３４ａに進入するようにハンガー３を配置することにより、ハンガー３を容易に母屋２に係止させることができる。また、空間３４ａは、両端部が開放されているため、母屋２の下リップ部２３に対してハンガー３をスライド移動させることができる。これにより、バー４を仮固定しているハンガー３をスライド移動させ、母屋２に対するバー４の位置を調整することが可能になる。
【００５２】
また、支持板３５，３５は、ハンガー底板３１との間にフランジ用スロット７１を形成している。この構成によれば、フランジ用スロット７１内に、断面が略Ｈ字形状を呈するバー４のフランジ４１を挿入配置することにより、支持板３５，３５によりフランジ４１を下方から支持するとともに、開口３１ａを介して母屋２とフランジ４１とを対向させることができる。これにより、開口３１ａを挿通するねじ６１により、母屋２とバー４との間の固定部分に他部材を介在させることなく、母屋２とバー４とを固定することが可能になる。
【００５３】
また、支持板３５，３５は、所定方向に貫通する貫通穴３５ｂが形成され、開口３１ａの一部を覆うように配置されている。この構成によれば、開口３１ａを覆うように配置された支持板３５，３５により、バー４のフランジ４１が開口３１ａを介して母屋２と適切に対向するようにフランジ４１を支持しつつ、貫通穴３５ｂ及び開口３１ａを挿通するねじ６１により、母屋２とフランジ４１とを固定することが可能になる。
【００５４】
また、ハンガー背面板３２とハンガー正面板３３との間隔Ｗ３は、５０ｍｍから５４ｍｍであり、ハンガー背面板３２の延出量Ｈ３は、３４ｍｍから３６ｍｍであり、ハンガー正面板３３の延出量Ｌ３は、２０ｍｍから２４ｍｍである。本発明者らの検討によれば、このようなサイズを有するハンガー３の係止板３４を、梁成Ｈ２が略１００ｍｍ、梁幅Ｗ２が略５０ｍｍ、リップ高さＬ２が略２０ｍｍの母屋２の下リップ部２３に係止させた後、ハンガー底板３１を軽く持ち上げるだけで、ハンガー背面板３２とハンガー正面板３３との間に母屋２を嵌入させ、そのハンガー３の姿勢を維持できることが判った。つまり、母屋２に係止させているハンガー３の姿勢を、ねじ等を用いることなく、バー４を母屋２に固定し終えた際のハンガー３の姿勢に近いものにすることが可能になる。この結果、母屋２にハンガー３を係止させた後、バー４をハンガー３に支持させる作業や、ねじ６１により母屋２とバー４とを固定する作業を、容易に行うことが可能になる。
【００５５】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されず、適宜変更することができる。
【符号の説明】
【００５６】
１    ：天井構造
２    ：母屋
２３  ：下リップ部（リップ部）
３    ：ハンガー
３ｂ  ：支持部
３１  ：ハンガー底板
３１ａ：開口
３２  ：ハンガー背面板
３２ａ：貫通穴
３３  ：ハンガー正面板
３４  ：係止板（係止部）
３４ａ：空間
３５  ：支持板
４    ：バー
４１，４３：フランジ
５    ：化粧パネル
６１  ：ねじ（固定部材）
７１  ：フランジ用スロット（スロット）
Ｈ２  ：梁成
Ｈ３  ：延出量
Ｌ２  ：リップ高さ
Ｌ３  ：延出量
Ｗ２  ：梁幅
Ｗ３  ：間隔（所定間隔）
【図１】
2020197064.tif 000003
【図２】
2020197064.tif 000004
【図３】
2020197064.tif 000005
【図４】
2020197064.tif 000006
【図５】
2020197064.tif 000007
【図６】
2020197064.tif 000008